(57)【要約】【課題】雌型連結部材の軸芯と雄型連結部材の軸芯が傾いた状態で連結した場合に、雌型連結部材の奥側端に固設された止め部材と雄型連結部材とが係合することを抑制できる雌型連結部材を提供する。【解決手段】  ケーシング３内に、その軸方向の両端が開口する収納室４を設け、収納室４内に、軸方向の一方側が縮径するテーパ面を有するテーパ穴５を形成し、テーパ５穴内に、雌型係止部材１２を軸方向に摺動可能に配置するとともに、雌型係止部材１２の内面に複数の係止山からなる係止部１２ｂを刻設し、雌型係止部材１２を一方４ａ側へ付勢する付勢部材１５を設け、ケーシング３の他方４ｂ側に止め部材８を固設し、雌型係止部材１２の係止部１２ｂと係合する係止部２ａを有する雄型連結部材２を、ケーシング３の軸芯側に案内する案内部１４ｃを設けた。【選択図】  図１
2018112199.tif 000002
【特許請求の範囲】
【請求項１】
ケーシング内に、その軸方向の両端が開口する収納室を設け、該収納室内に、軸方向の一方側が縮径するテーパ面を有するテーパ穴を形成し、該テーパ穴内に、雌型係止部材を軸方向に摺動可能に配置するとともに、該雌型係止部材の内面に複数の係止山からなる係止部を刻設し、
前記雌型係止部材を前記一方側へ付勢する付勢部材を設け、前記ケーシングの他方側に止め部材を固設し、
前記雌型係止部材の係止部と係合する係止部を有する雄型連結部材を、ケーシングの軸芯側に案内する案内部を設けたことを特徴とする雌型連結部材。
【請求項２】
前記案内部を、雌型係止部材の軸方向に移動可能に設け、前記案内部が、前記付勢部材で一方側に付勢されていることを特徴とする請求項１記載の雌型連結部材。
【請求項３】
前記止め部材の中央部に挿通穴が形成され、止め部材の中央側部を一方側に曲折して前記案内部を構成したことを特徴とする請求項１記載の雌型連結部材。
【請求項４】
軸方向に移動可能な移動部材を設け、該移動部材に前記案内部を設け、前記移動部材と前記収納室の内面と前記止め部材により囲まれた付勢部材収納部を形成し、この付勢部材収納部内に、前記付勢部材を設けたことを特徴とする請求項１乃至３の何れか１項に記載の雌型連結部材。
【請求項５】
前記雌型係止部材の係止部を、螺旋状の係止山及び係止溝で形成したことを特徴とする請求項１乃至４の何れか１項に記載の雌型連結部材。
【請求項６】
前記雌型係止部材の係止部を、周方向に環状に形成された平行な係止山と平行な係止溝で形成したことを特徴とする請求項１乃至４の何れか１項に記載の雌型連結部材。
【発明の詳細な説明】
【技術分野】
【０００１】
本発明は、雌型連結部材に関する。
【背景技術】
【０００２】
従来、部材相互を連結する連結具として、図７，図８に示すように、雌型連結部材１０１と雄型連結部材２０１で構成され、雌型連結部材１０１を回転することなく、雄型連結部材２０１と締結できるものが知られている。
【０００３】
この雌型連結部材１０１は、内部に、その軸方向の両端が開口するテーパ穴１０２を形成するとともに、そのテーパ穴１０２の内面に軸方向に沿った摺動案内突条を周方向に分割して複数形成したケーシング１０３と、外面をテーパ穴１０２に沿うテーパ面に形成するとともに内面に雌ねじ１０４を形成した雌型係止部材（楔ナット）１０５と、この楔ナット１０５を押圧する圧縮バネ１０６と、止め部材１０７を有する。
【０００４】
そして、この連結具における連結に際しては、雌型連結部材１０１に雄型連結部材２０１を、相互に回転することなく挿通することにより、分割された楔ナット１０５の雌ねじ１０４が雄型連結部材２０１の雄ねじ１１０に係合してその楔ナット１０５が圧縮バネ１０６に抗して大径側へ押され、楔ナット１０５で形成される雌ねじ穴の内径が拡径して雄型連結部材２０１を雌型連結部材１０１の所定位置まで挿通でき、その挿通が終ると、圧縮バネ１０６の付勢力によって楔ナット１０５の雌ねじ１０４が雄型連結部材２０１の雄ねじ２０２に噛合し、雌型連結部材１０１と雄型連結部材２０１の連結が行われるようになっている（例えば、特許文献１参照）。
【先行技術文献】
【特許文献】
【０００５】
【特許文献１】特開２００５−６１５７０号公報
【発明の概要】
【発明が解決しようとする課題】
【０００６】
しかし、上記従来の雌型連結部材１０１においては、図８に示すように、雌型連結部材１０１の軸芯Ｘ−Ｘに対して、雄型連結部材２０１の軸芯Ｙ−Ｙが傾いた状態で、雌型連結部材１０１に雄型連結部材２０１が挿入されると、奥側端に固設された止め部材１０７に雄型連結部材２０１の雄ねじ２０２が引っかかり、雄型連結部材２０１をそれ以上奥側に移動できなくなり、雌型連結部材１０１と雄型連結部材２０１の連結が正常に行われない恐れがある。
【０００７】
そこで本発明は、上記問題点を解決した雌型連結部材を提供することを目的とするものである。
【課題を解決するための手段】
【０００８】
前記課題を解決するために、請求項１記載の発明は、ケーシング内に、その軸方向の両端が開口する収納室を設け、該収納室内に、軸方向の一方側が縮径するテーパ面を有するテーパ穴を形成し、該テーパ穴内に、雌型係止部材を軸方向に摺動可能に配置するとともに、該雌型係止部材の内面に複数の係止山からなる係止部を刻設し、
前記雌型係止部材を前記一方側へ付勢する付勢部材を設け、前記ケーシングの他方側に止め部材を固設し、
前記雌型係止部材の係止部と係合する係止部を有する雄型連結部材を、ケーシングの軸芯側に案内する案内部を設けたことを特徴とするものである。
【０００９】
請求項２記載の発明は、請求項１記載の発明において、前記案内部を、雌型係止部材の軸方向に移動可能に設け、前記案内部が、前記付勢部材で一方側に付勢されていることを特徴とするものである。
【００１０】
請求項３記載の発明は、請求項１記載の発明において、前記止め部材の中央部に挿通穴が形成され、止め部材の中央側部を一方側に曲折して前記案内部を構成したことを特徴とするものである。
【００１１】
請求項４記載の発明は、請求項１乃至３の何れか１項に記載の発明において、軸方向に移動可能な移動部材を設け、該移動部材に前記案内部を設け、前記移動部材と前記収納室の内面と前記止め部材により囲まれた付勢部材収納部を形成し、この付勢部材収納部内に、前記付勢部材を設けたことを特徴とするものである。
【００１２】
請求項５記載の発明は、請求項１乃至４の何れか１項に記載の発明において、前記雌型係止部材の係止部を、螺旋状の係止山及び係止溝で形成したことを特徴とするものである。
【００１３】
請求項６記載の発明は、請求項１乃至４の何れか１項に記載の発明において、前記雌型係止部材の係止部を、周方向に環状に形成された平行な係止山と平行な係止溝で形成したことを特徴とするものである。
【発明の効果】
【００１４】
本発明は、雌型連結部材と雄型連結部材との連結時において、雄型連結部材を、ケーシングの軸芯側に案内する案内部を設けたことにより、雄型連結部材と止め部材とが係合することを抑制し、雄型連結部材を雌型連結部材に対して所定の位置まで挿入することができ、雌型連結部材と雄型連結部材を確実に連結し、所定の締結力を確保することができる。
【図面の簡単な説明】
【００１５】
【図１】本発明の実施例１における雌型連結部材の半面を断面とした部分断面図。
【図２】図１の正面図。
【図３】図１の雌型連結部材と雄型連結部材との連結を説明するための図。
【図４】本発明の実施例３における雌型連結部材の半面を断面とした部分断面図。
【図５】本発明の実施例４における雌型連結部材の半面を断面とした部分断面図。
【図６】本発明の実施例５における雌型連結部材の半面を断面とした部分断面図。
【図７】従来技術の雌型連結部材の半面を断面とした部分断面図。
【図８】図７の雌型連結部材と雄型連結部材との連結を説明するための図。
【発明を実施するための形態】
【００１６】
発明を実施するための形態を図に示す実施例に基づいて説明する。
【００１７】
［実施例１］
図１乃至図３は、本発明の実施例１を示す。
【００１８】
図１は、本実施例１の雌型連結部材１の半面を断面とした部分断面図を示し、図２は、その正面図を示すものである。
【００１９】
雌型連結部材１は、ケーシング３を有し、このケーシング３の縦断面の外形は、図２に示すように、ナット状の六角形に形成され、その内部には、軸芯Ｘ−Ｘ方向の両端が開口する収納室４が形成されている。なお、ケーシング３の外径は六角形状以外にも、円筒状や多角形状など任意の形状に形成することができる。
【００２０】
収納室４の先部の内周面は、雌型連結部材１と連結する雄型連結部材２の挿入側（一方側）４ａ側から奥部側（他方側）４ｂにかけて内径が徐々に拡大するテーパ面にしてなる円錐状のテーパ穴５に形成され、収納室４の後部は円筒状に形成されている。ケーシング３の後端部には、中央部に挿通穴８ａが形成された止め部材８がカシメ等により固設されている。止め部材８は、板状部材で鍔状に形成されている。
【００２１】
収納室４の挿入側部には円筒状の挿入部９が形成され、挿入部９の挿入側４ａは開口している。
【００２２】
テーパ穴５内には、ケーシング３の軸芯Ｘ−Ｘ方向に沿った摺動案内突条（図示せず）が、周方向に複数形成されている。また、テーパ穴５内には、周方向に複数に分割してなる楔状の雌型係止部材１２が、摺動案内突条の相互間においてケーシング３の軸芯Ｘ−Ｘ方向に摺動可能に配設されている。雌型係止部材１２の数を、本実施例においては、図２に示すように３個としたが、その数は、１個でも複数でも良く任意に設定することができる。また、雌型係止部材１２を円筒状に形成し、挿入側４ａ端から奥部４ｂ側への切れ込みと、奥部４ｂ側端から挿入側４ａ側への切れ込みを、周方向に向かって交互に複数形成することにより、一体に形成された雌型係止部材１２の後述する雌ねじ穴１２ｃが、拡径したり、縮径したりできるようにしてもよい。なお、以下において、雌型係止部材１２を楔ナット１２ともいう。
【００２３】
更に、楔状の雌型係止部材１２の外面は、前記テーパ穴５のテーパ面に沿った、すなわち、挿入側４ａ側から奥部４ｂにかけて外径が徐々に拡大するテーパ面１２ａに形成されている。更に、各雌型係止部材１２の内周面には、螺旋状の係止山及び係止溝からなる係止部（雌ねじ）１２ｂが、ケーシング３の軸芯Ｘ−Ｘを中心とする円弧でかつ軸芯Ｘ−Ｘに沿った方向に刻設されている。この螺旋状の係止部１２ｂは、螺旋状に形成されていれば、その断面形状としては任意の形状のねじ山を用いることができ、その軸方向断面が、二等辺三角形状、直角三角形状、不等辺三角形状等の任意の形状に形成することができる。また、係止山間の間隔（ピッチ）の寸法は、任意に設定することができる。
【００２４】
上記により、複数個の楔ナット１２により、図１〜３に示すように、係止穴（雌ねじ穴）１２ｃが形成され、各楔ナット１２がテーパ穴５に沿って奥部４ｂ側へ後退することにより、その雌ねじ穴１２ｃが拡径され、挿入４ａ側へ移動することにより、その雌ねじ穴１２ｃが縮径するようになっている。
【００２５】
なお、摺動案内突条は、任意に形成することができ、例えば、螺旋状に形成し、雌型係止部材１２が奥部４ｂに移動するほど、雌型係止部材１２の雌ねじ１２ｂと雄側連結部材２に形成した後述する雄ねじ２ａとの締結が緩むようにしてもよい。また、摺動案内突条を設けなくてもよいが、摺動案内突条を設けた場合には、雌型連結部材１と雄型連結部材２の連結状態において、雄型連結部材２を雌型連結部材１に対して回動させやすく、連結状態を解除し易くなる。
【００２６】
楔ナット１２の奥側の収納室４内には、移動部材１４が軸芯Ｘ−Ｘ方向に移動可能に設けられている。移動部材１４は、各楔ナット１２に共通して係合するとともに、中央部に貫通穴１４ａが形成された鍔部１４ｂと、鍔部１４ｂの内周端から奥部側に固設された円筒状の案内部１４ｃで構成されている。案内部１４ｃの奥側端は、図１に示すように、雌型連結部材１と雄型連結部材２が非連結状態において、止め部材８よりも挿入側４ａに位置するように形成されている。
【００２７】
貫通穴１４ａと案内部１４ｃの内径は、雄型連結部材２の外径よりも大きく設定されている。また、案内部１４ｃの外径は、止め部材８の挿通穴８ａの内径よりも小さく設定されている。
【００２８】
なお、案内部１４ｃは、本実施例においては、軸芯Ｘ−Ｘ方向全体において略同じ内径で形成された円筒状に構成したが、挿入側４ａほど縮径するように形成してもよいし、挿入側４ａに至る程拡径するように形成してもよい。なお、このように案内部１４ｃを形成した場合、その最外径は、止め部材８の挿通穴８ａの内径よりも小さく設定されている。
【００２９】
収納室４内における鍔部１４ｂと止め部材８の間には付勢部材１５が介在されている。付勢部材１５は、コイルバネ、ゴム、樹脂、ウレタンなどの弾性部材で形成される。本実施例１ではコイルバネを使用して圧縮状態で収納されている。この付勢部材１５の付勢力により各楔ナット１２と移動部材１４は、挿入側４ａ方向へ常時付勢されている。
【００３０】
雄型連結部材２は、図３に示すように、棒状に形成され、その外周面には、軸芯Ｘ−Ｘを中心とする螺旋状の係止山及び係止溝からなる係止部（雄ねじ）２ａが、ケーシング３の軸芯Ｘ−Ｘに沿った方向に刻設されている。この螺旋状の係止部２ａは、螺旋状に形成され、各雌型係止部材１２の係止部１２ｂと係合できれば、その断面形状としては任意の形状のねじ山を用いることができ、その軸方向断面が、二等辺三角形状、直角三角形状、不等辺三角形状等の任意の形状に形成することができる。
【００３１】
雌型連結部材１と雄型連結部材２で連結具２０が構成されている。
【００３２】
次に、雌型連結部材１と雄型連結部材２の連結方法について説明する。
【００３３】
雄型連結部材２を、雌型連結部材１の挿入側４ａから収納室４内へ、相互に回転することなく挿入する。この雄型連結部材２の挿入により、各楔ナット１２が奥部４ｂ側へ押され、楔ナット１２と移動部材１４が付勢部材１５の付勢力に抗して後退する。雄型連結部材２は、各楔ナット１２で形成されるねじ穴１２ｃを拡径させ、各楔ナット１２の係止部１２ｂの係止山を乗り越えつつ、収納室４内へ挿入される。
【００３４】
そして、雌型連結部材１と雄型連結部材２の連結時において、図３に示すように、雌型連結部材１の軸芯Ｘ−Ｘに対して、雄型連結部材２の軸芯Ｙ−Ｙが所定以上傾いた状態であると、図３に示すように、雄型連結部材２の係止部２ａが、移動部材１４の案内部１４ｃの内周面に当接し、雌型連結部材１の軸芯Ｘ−Ｘ側に案内され、雄型連結部材２の係止部２ａが、止め部材８に係合することが抑制され、雄型連結部材２が所定の位置まで挿入される。この際、案内部１４ｃの奥側端が、止め部材８から外側に突出していてもよい。
【００３５】
その後、各楔ナット１２と移動部材１４は、付勢部材１５の付勢力によって挿入部４ａ側へ押し戻され、テーパ穴５によって各楔ナット１２で形成されるねじ穴１２ｃの径が縮径し、各楔ナット１２の係止部１２ｂが雄型連結部材２の係止部２ａに噛合し、雌型連結部材１と雄型連結部材２は連結される。
【００３６】
上記のように、移動部材１４の案内部１４ｃにより、雄型連結部材２の係止部２ａが、止め部材８の挿通穴８ａに係合することを抑制して、雄型連結部材２を、雌型連結部材１に対して所定の位置まで挿入することができるため、雌型連結部材１と雄型連結部材２を確実に連結し、所定の締結力を確保することができる。
【００３７】
［実施例２］
上記実施例１においては、雄型連結部材２の係止部２ａ及び雌型係止部材１２の係止部１２ｂを螺旋状の係止山及び係止溝で形成したが、この係止部２ａ，１２ｂを、夫々の軸心Ｙ−Ｙ、Ｘ−Ｘに対して直交する環状に形成された複数の係止山及び係止溝を、多数、その軸心方向に連続配置したものとしてもよい。
【００３８】
この環状の係止部は、前記実施例１の螺旋状の係止部と同様に、その断面形状としては任意の形状を用いることができ、その軸方向断面が、二等辺三角形状、直角三角形状、不等辺三角形状等の任意の形状に形成することができる。また、係止山間の間隔（ピッチ）の寸法は、任意に設定することができる。
【００３９】
その他の部材については、前記実施例１と同様の構造を有するため、その説明を省略する。
【００４０】
また、本実施例２においても、前記実施例１と同様の作用、効果を奏する。
【００４１】
［実施例３］
上記実施例１，２においては、案内部１４ｃの奥側端は、雌型連結部材１と雄型連結部材２が非連結状態において、止め部材８よりも挿入側４ａに位置するように形成したが、図４に示すように、雌型連結部材１と雄型連結部材２が非連結状態において、案内部１４ｃの奥側端が、止め部材８よりも外側に突出するようにした雌型連結部材２３としてもよい。
【００４２】
このように、案内部１４ｃの奥側端が、止め部材８よりも外側に突出するように形成することで、移動部材１４の外周面と収納部４の内周面４ｃと止め部材８の挿入側面で囲まれた付勢部材収納部２１が形成される。
【００４３】
この付勢部材収納部２１内には、前記実施例１，２の付勢部材１５と同様の付勢部材１５が収納されている。
【００４４】
その他の部材については、前記実施例１，２と同様の構造を有するため、その説明を省略する。
【００４５】
また、本実施例３においても、前記実施例１，２と同様の作用、効果を奏する。
【００４６】
更に、本実施例３においては、案内部１４ｃの外周面と収納部４の内周面４ｃで囲まれた付勢部材収納部２１を形成し、この付勢部材収納部２１内に付勢部材１５を収納したことにより、付勢部材１５に石などが噛み込むことを防止し、付勢部材１５が石などにより、その機能が阻害されることなく伸縮できることで、楔ナット１２の軸Ｘ−Ｘ方向の移動が確実に行われ、雌型連結部材１と雄型連結部材２を確実に連結し、所定の締結力を確保することができる。
【００４７】
［実施例４］
上記実施例１〜３においては、移動部材１４に案内部１４ｃを設けたが、図５に示すように、移動部材１４には案内部１４ｃを設けず、鍔部１４ｂのみで構成するとともに、止め部材８の内側部を挿入側４ａに曲折して案内部２５を構成した雌型連結部材２６としてもよい。
【００４８】
案内部２５は、図５に示すように、軸Ｘ−Ｘ方向全体において、略同径の円筒状に形成してもよいし、挿入側４ａほど縮径するように形成してもよいし、挿入側４ａに至る程拡径するように形成してもよい。
【００４９】
その他の部材については、前記実施例１，２と同様の構造を有するため、その説明を省略する。
【００５０】
また、本実施例４においても、前記実施例１，２と同様の作用、効果を奏する。
【００５１】
［実施例５］
上記実施例３においては、移動部材１４の案内部１４ｃと収納部４の内周面４ｃと止め部材８で囲まれた付勢部材収納部２１を形成したが、図６に示すように、上記実施例１における移動部材１４の案内部１４ｃと、上記実施例４の止め部材８に形成した案内部２５を用いるとともに、雌型連結部材１と雄型連結部材２が非連結状態において、移動部材１４の案内部１４ｃの奥側部と、止め部材８の案内部の挿入側部とが重なり合うようにして、この移動部材１４と止め部材８と収納部４の内周面４ｃで囲まれた付勢部材収納部３１を形成するようにした雌型連結部材３２としてもよい。なお、移動部材１４の案内部１４ｃの奥側部は、止め部材８の案内部の挿入側部に対して、図６に示すように、その内側に位置するように形成してもよいし、その外側に位置するように形成してもよい。
【００５２】
その他の部材については、前記実施例１〜４と同様の構造を有するため、その説明を省略する。
【００５３】
また、本実施例５においても、前記実施例１〜４と同様の作用、効果を奏する。
【００５４】
［その他の実施例］
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【符号の説明】
【００５５】
１，２３，２６，３２  雌型連結部材
２  雄型連結部材
３  ケーシング
４  収納室
５  テーパ穴
８  止め部材
１２  雌型係止部材
１２ｂ雌型係止部材の係止部
１４  移動部材
１４ｃ，２５  案内部
１５  付勢部材
２１，３１  付勢部材収納部
【図１】
2018112199.tif 000003
【図２】
2018112199.tif 000004
【図３】
2018112199.tif 000005
【図４】
2018112199.tif 000006
【図５】
2018112199.tif 000007
【図６】
2018112199.tif 000008
【図７】
2018112199.tif 000009
【図８】
2018112199.tif 000010